(57)【要約】【課題】車両に後付けされる場合に、車両のシフトポジションの信号など、車両の各種装置からの信号を取得しなくても、車両の後退を適切に判定することができる車載機を提供すること。【解決手段】車両に後付けで搭載される車載機であって、前記車両の位置情報を取得する位置取得部と、該位置取得部で取得した前記車両の位置情報を用いて、前記車両の速度を算出する速度算出部と、前記車両に生じる前後方向の加速度を測定する加速度測定部と、前記速度算出部で算出された前記車両の速度と、前記加速度測定部で測定された前記車両に生じる前後方向の加速度とに基づいて、前記車両の後退を判定する後退判定部とを備えている。【選択図】図１
2019158496.tif 000002
【特許請求の範囲】
【請求項１】
車両に後付けで搭載される車載機であって、
前記車両の位置情報を取得する位置取得部と、
該位置取得部で取得した前記車両の位置情報を用いて、前記車両の速度を算出する速度算出部と、
前記車両に生じる前後方向の加速度を測定する加速度測定部と、
前記速度算出部で算出された前記車両の速度と、前記加速度測定部で測定された前記車両に生じる前後方向の加速度とに基づいて、前記車両の後退を判定する後退判定部とを備えていることを特徴とする車載機。
【請求項２】
前記後退判定部が、
前記速度算出部により前記車両の停車状態を示す速度が算出された後、前記加速度測定部により前記車両に生じる後方向の加速度が測定された場合に、前記車両が後退していると判定するものであることを特徴とする請求項１記載の車載機。
【請求項３】
前記後退判定部により前記車両の後退が判定された場合に、所定の処理を後退時用に切り替える処理切替部を備えていることを特徴とする請求項１又は請求項２記載の車載機。
【請求項４】
前記車両の運転者の画像を撮像する撮像部と、
該撮像部で撮像された前記運転者の画像から前記運転者の顔の向き又は視線の方向の少なくともいずれかを検出する向き検出部と、
該向き検出部で検出された前記運転者の顔の向き又は視線の方向の少なくともいずれかを用いて、前記運転者の脇見を判定する脇見判定部とを備え、
前記処理切替部が、前記後退判定部により前記車両の後退が判定された場合に、前記脇見判定部の処理を後退時用に切り替えるものであることを特徴とする請求項３記載の車載機。
【請求項５】
車両の後退を判定する後退判定方法であって、
前記車両の位置情報を取得する位置取得ステップと、
該位置取得ステップで取得した前記車両の位置情報を用いて、前記車両の速度を算出する速度算出ステップと、
前記車両に生じる前後方向の加速度を測定する加速度測定ステップと、
前記速度算出ステップで算出された前記車両の速度と、前記加速度測定ステップで測定された前記車両に生じる前後方向の加速度とに基づいて、前記車両の後退を判定する後退判定ステップとを含むステップを備えていることを特徴とする後退判定方法。
【請求項６】
前記後退判定ステップにより前記車両の後退が判定された場合に、所定の処理を後退時用に切り替える処理切替ステップを含むことを特徴とする請求項５記載の後退判定方法。
【請求項７】
車両の後退を判定する処理を少なくとも１つのコンピュータに実行させるための後退判定プログラムであって、
前記少なくとも１つのコンピュータに、
前記車両の位置情報を取得する位置取得ステップと、
該位置取得ステップで取得した前記車両の位置情報を用いて、前記車両の速度を算出する速度算出ステップと、
前記車両に生じる前後方向の加速度を測定する加速度測定ステップと、
前記速度算出ステップで算出された前記車両の速度と、前記加速度測定ステップで測定された前記車両に生じる前後方向の加速度とに基づいて、前記車両の後退を判定する後退判定ステップとを実行させることを特徴とする後退判定プログラム。
【発明の詳細な説明】
【技術分野】
【０００１】
本発明は車載機、後退判定方法、及び後退判定プログラムに関する。
【背景技術】
【０００２】
特許文献１には、シフトポジションを検出するシフトポジションセンサの検出情報に基づいて、シフトポジションがＲ（リバース）ポジションに切り替わった場合に、自車両に後進シーンが到来したと特定し、運転者の後方確認動作を検出する技術が開示されている。
【０００３】
［発明が解決しようとする課題］
特許文献１記載の車両運転評価システムでは、主制御部がシフトポジションセンサ、ウインカセンサ、ブレーキセンサなどに接続されている。例えば、特許文献１に記載されているような車両運転評価システムを、車両の購入後に取り付ける、いわゆる後付けしようとした場合、前記主制御部を前記シフトポジションセンサなどに接続しなければならず、車両への後付け作業に手間を要する。また、後付けで前記主制御部を前記シフトポジションセンサなどに接続できない場合、自車両に後進シーンが到来したと特定することができず、運転者の後方確認動作を正しく検出できないという課題があった。
【先行技術文献】
【特許文献】
【０００４】
【特許文献１】特許第６２１７９１９号公報
【発明の概要】
【課題を解決するための手段及びその効果】
【０００５】
本発明は上記課題に鑑みなされたものであって、車両に後付けされる場合に、車両のシフトポジションの信号など、車両の各種装置からの信号を取得しなくても、車両の後退を適切に判定することができる車載機、後退判定方法、及び後退判定プログラムを提供することを目的としている。
【０００６】
上記目的を達成するために本開示に係る車載機（１）は、
車両に後付けで搭載される車載機であって、
前記車両の位置情報を取得する位置取得部と、
該位置取得部で取得した前記車両の位置情報を用いて、前記車両の速度を算出する速度算出部と、
前記車両に生じる前後方向の加速度を測定する加速度測定部と、
前記速度算出部で算出された前記車両の速度と、前記加速度測定部で測定された前記車両に生じる前後方向の加速度とに基づいて、前記車両の後退を判定する後退判定部とを備えていることを特徴としている。
【０００７】
上記車載機（１）によれば、前記位置取得部で取得した前記車両の位置情報を用いて、前記車両の速度が前記速度算出部で算出され、該速度算出部で算出された前記車両の速度と、前記加速度測定部で測定された前記車両に生じる前後方向の加速度とに基づいて、前記車両の後退が前記後退判定部で判定される。したがって、当該車載機が前記車両に後付けされる場合であっても、前記車両のシフトポジションの信号など、前記車両の各種装置からの信号を取得しなくても、前記車両の後退を適切に判定することができる。
【０００８】
また本開示に係る車載機（２）は、上記車載機（１）において、前記後退判定部が、前記速度算出部により前記車両の停車状態を示す速度が算出された後、前記加速度測定部により前記車両に生じる後方向の加速度が測定された場合に、前記車両が後退していると判定するものであることを特徴としている。
【０００９】
上記車載機（２）によれば、前記速度算出部により前記車両の停車状態を示す速度が算出された後、前記加速度測定部により前記車両に生じる後方向の加速度が測定された場合に、前記車両が後退していると判定される。したがって、前記車両の各種装置からの信号を取得しなくても、前記車両の後退を正確に判定することができる。
【００１０】
また本開示に係る車載機（３）は、上記車載機（１）又は（２）において、前記後退判定部により前記車両の後退が判定された場合に、所定の処理を後退時用に切り替える処理切替部を備えていることを特徴としている。
【００１１】
上記車載機（３）によれば、前記後退判定部により前記車両の後退が判定された場合に、前記処理切替部によって所定の処理が後退時用に切り替えられるので、適切なタイミングで後退時用の処理に切り替えることができる。
【００１２】
また本開示に係る車載機（４）は、上記車載機（３）において、
前記車両の運転者の画像を撮像する撮像部と、
該撮像部で撮像された前記運転者の画像から前記運転者の顔の向き又は視線の方向の少なくともいずれかを検出する向き検出部と、
該向き検出部で検出された前記運転者の顔の向き又は視線の方向の少なくともいずれかを用いて、前記運転者の脇見を判定する脇見判定部とを備え、
前記処理切替部が、前記後退判定部により前記車両の後退が判定された場合に、前記脇見判定部の処理を後退時用に切り替えるものであることを特徴としている。
【００１３】
上記車載機（４）によれば、前記後退判定部により前記車両の後退が判定された場合に、前記脇見判定部の処理が後退時用に切り替えられる。したがって、前記車両の後退時に、後方確認のために運転者が顔の向きを大きく変えた場合であっても、脇見であると誤判定されることなく、後方確認動作を正確に検出することができる。
【００１４】
また本開示に係る後退判定方法（１）は、車両の後退を判定する後退判定方法であって、
前記車両の位置情報を取得する位置取得ステップと、
該位置取得部で取得した前記車両の位置情報を用いて、前記車両の速度を算出する速度算出ステップと、
前記車両に生じる前後方向の加速度を測定する加速度測定ステップと、
前記速度算出ステップで算出された前記車両の速度と、前記加速度測定ステップで測定された前記車両に生じる前後方向の加速度とに基づいて、前記車両の後退を判定する後退判定ステップとを含むステップを備えていることを特徴としている。
【００１５】
上記後退判定方法（１）によれば、前記位置取得ステップで取得した前記車両の位置情報を用いて、前記速度算出ステップで前記車両の速度を算出し、算出した前記車両の速度と、前記加速度測定ステップで検出した前記車両に生じる前後方向の加速度とに基づいて、前記車両の後退を判定する。したがって、前記車両のシフトポジションの信号など、前記車両の各種装置からの信号を取得しなくても、前記車両の後退を適切に判定することができる。
【００１６】
また本開示に係る後退判定方法（２）は、上記後退判定方法（１）において、前記後退判定ステップにより前記車両の後退が判定された場合に、所定の処理を後退時用に切り替える処理切替ステップを含むことを特徴としている。
【００１７】
上記後退判定方法（２）によれば、前記後退判定ステップにより前記車両の後退が判定された場合に、前記処理切替ステップによって所定の処理が後退時用に切り替えられるので、適切なタイミングで後退時用の処理に切り替えることができる。
【００１８】
また本開示に係る後退判定プログラムは、車両の後退を判定する処理を少なくとも１つのコンピュータに実行させるための後退判定プログラムであって、
前記少なくとも１つのコンピュータに、
前記車両の位置情報を取得する位置取得ステップと、
該位置取得ステップで取得した前記車両の位置情報を用いて、前記車両の速度を算出する速度算出ステップと、
前記車両に生じる前後方向の加速度を測定する加速度測定ステップと、
前記速度算出ステップで算出された前記車両の速度と、前記加速度測定ステップで測定された前記車両に生じる前後方向の加速度とに基づいて、前記車両の後退を判定する後退判定ステップとを実行させることを特徴としている。
【００１９】
上記後退判定プログラムによれば、前記位置取得ステップで取得した前記車両の位置情報を用いて、前記速度算出ステップで前記車両の速度を算出し、算出した前記車両の速度と、前記加速度測定ステップで検出した前記車両に生じる前後方向の加速度とに基づいて、前記車両の後退を判定する。したがって、前記車両のシフトポジションの信号など、前記車両の各種装置からの信号を取得しなくても、前記車両の後退を適切に判定することができる車載機を実現することができる。
【図面の簡単な説明】
【００２０】
【図１】実施の形態に係る車載機の特徴部分を示す機能構成ブロック図である。
【図２】実施の形態に係る車載機の要部構成を示すブロック図である。
【図３】実施の形態に係る車載機が用いられる運転評価システムの一例を示す概略構成図である。
【図４】実施の形態に係る車載機のドライバモニタリング部が行う処理動作を示すフローチャートである。
【図５】実施の形態に係る車載機の制御部が行う処理動作の一例を示すフローチャートである。
【図６】実施の形態に係る車載機の制御部が行う後退時用処理動作の一例を示すフローチャートである。
【図７】車載機からサーバ装置に送信されるデータの構造の一例を示す図である。
【発明を実施するための形態】
【００２１】
以下、本発明に係る車載機、後退判定方法、及び後退判定プログラムの実施の形態を図面に基づいて説明する。
【００２２】
［適用例］
図１は、実施の形態に係る車載機の特徴部分を示す機能構成ブロック図である。
車載機１０は、車両２に後付けで搭載される装置であり、例えば、車両２の運転者の状態をモニタリングする装置、又は運転者の運転評価に用いるデータを取得して、外部へ送信する装置として適用される。
【００２３】
運転者の状態には、運転者の顔の向き、視線の方向、目開度、眠気度合い、及び脇見のうちの少なくともいずれかが含まれている。
運転者の運転評価に用いるデータには、運転者の状態、車両の位置、及び車両の挙動のうちの少なくともいずれかが含まれている。
運転者の運転評価には、例えば、運転者の運転操作行為に関する評価、交差点における安全確認動作に関する評価、運転時の集中状態に関する評価などが含まれる。
【００２４】
運転者の運転操作行為には、急ハンドル、急加速、急減速、急発進、速度超過、又は衝撃検知などの不適切な運転操作行為が含まれている。
交差点における安全確認動作には、通過した各交差点での運転者の安全確認のタイミング、確認角度、確認時間、又は交差点への進入速度などが含まれている。
運転時の集中状態には、運転者の眠気の検出状態（時間、頻度）、脇見の検出状態（時間、頻度）などが含まれている。
【００２５】
車載機１０を、車両２に後付けする場合、車両２に装備されたセンサなどの装置から信号を取得するには、車両２に装備された各装置、又はこれら各装置が接続された車載ネットワークなどに車載機１０を接続しなければならない。
【００２６】
本実施の形態に係る車載機１０は、車両２に装備されたシフトポジションセンサなどの装置、又はこれら各装置が接続された車載ネットワークなどに接続しなくても、車両２の後退を適切に判定できるように構成されている。
【００２７】
図１に示すように、車載機１０は、車両２の位置情報を取得する位置取得部１９ａａと、位置取得部１９ａａで取得した車両２の位置情報を用いて、車両２の速度を算出する速度算出部１９ａｂと、車両２に生じる少なくとも前後方向の加速度を測定する加速度測定部１９ａｃと、速度算出部１９ａｂで算出された車両２の速度と、加速度測定部１９ａｃで測定された車両２に生じる前後方向の加速度とに基づいて、車両２の後退を判定する後退判定部１９ａｄとを備えている。
さらに、車載機１０は、後退判定部１９ａｄにより車両２の後退が判定された場合に、所定の処理を後退時用に切り替える処理切替部１９ａｅを備えている。
【００２８】
位置取得部１９ａａは、例えば、ＧＰＳ受信部１４に接続され、ＧＰＳ受信部１４でアンテナ１４ａを介して所定の周期で受信したＧＰＳ信号から特定された位置情報を取得する。位置情報は、例えば、経度と緯度（位置座標）を示すデータである。
【００２９】
なお、ＧＰＳ受信部１４に代えて、携帯電話網に接続可能な通信部を設け、位置取得部１９ａａが、前記通信部を介して携帯電話の基地局から受信した電波を用いて特定された位置情報を取得する構成であってもよい。また、ＧＰＳ受信部１４に代えて、公衆無線ＬＡＮ（Local Area Network）などに接続可能な通信部を設け、位置取得部１９ａａが、前記通信部を介して無線ＬＡＮなどのアクセスポイントから受信した電波を用いて特定された位置情報を取得する構成であってもよい。あるいは、これらを組み合わせて特定された位置情報を位置取得部１９ａａが取得するように構成であってもよい。
【００３０】
速度算出部１９ａｂは、位置取得部１９ａａで取得した車両２の位置情報を読み込み、車両２の位置情報の経時的変化に基づいて、例えば、単位時間当たりの位置変化（移動距離）に基づいて、車両２の速度を算出する。
【００３１】
加速度測定部１９ａｃは、加速度センサ１２に接続され、加速度センサ１２で所定の周期で検出されたデータを取得して、車両２の少なくとも前後方向の加速度を測定する。加速度測定部１９ａｃで検出される加速度データは、例えば、車両２に生じる前方向の加速度は正の値で示され、車両２に生じる後方向の加速度は負の値で示されるようになっている。
【００３２】
後退判定部１９ａｄは、速度算出部１９ａｂで算出された車両２の速度と、加速度測定部１９ａｃで測定された車両２に生じる前後方向の加速度とを読み込み、車両２の速度と車両２に生じる前後方向の加速度とに基づいて、車両２の後退を判定する。
例えば、後退判定部１９ａｄは、速度算出部１９ａｂにより車両２の停車状態を示す速度（例えば、速度＝０）が算出された後、加速度測定部１９ａｃにより車両２に生じる後方向の加速度（負の値の加速度）が測定された場合に、車両２が後退していると判定する。
【００３３】
このような車載機１０によれば、車両２に装備されたシフトポジションセンサなどの装置から信号を取得しなくても、車両２の後退を正確に判定することが可能となる。
【００３４】
また、処理切替部１９ａｅは、後退判定部１９ａｄにより車両２の後退が判定された場合に、所定の処理を後退時用に切り替える。所定の処理には、車両２の後退時と前進時とで処理を切り替えることが好ましい処理が含まれる。
【００３５】
例えば、運転者の状態をモニタリングする場合、車両２の前進時と後退時とで、運転者の状態を判定する処理を切り替えることが好ましい。
処理切替部１９ａｅは、後退判定部１９ａｄにより車両２の後退が判定された場合に、運転者の脇見を判定する脇見判定処理を後退時用に切り替える処理を行ってもよい。運転者の脇見状態は、運転者の顔の向き又は視線の方向の少なくともいずれかを用いて判定される。
【００３６】
このような車載機１０によれば、後退判定部１９ａｄにより車両２の後退が判定された場合に、処理切替部１９ａｅによって、脇見判定処理が後退時用に切り替えられる。したがって、車両２の後退時に、後方確認のために運転者が顔の向きを大きく変えた場合であっても、脇見であると誤判定されることなく、後方確認状態を正確に検出することができ、前進時と後退時とで適切な脇見判定を行うことが可能となる。
【００３７】
［構成例］
図２は、実施の形態に係る車載機１０の要部を概略的に示すブロック図である。
車載機１０は、プラットフォーム部１１及びドライバモニタリング部２０を含んで構成されている。また、車載機１０にドライブレコーダ部３０が接続されている。
【００３８】
プラットフォーム部１１には、車両２の加速度を検出する加速度センサ１２、車両２の回転角速度を検出する角速度センサ１３、車両２の位置を検出するＧＰＳ（Global Positioning System）受信部１４が装備されている。また、プラットフォーム部１１には、通信ネットワーク４を介して外部機器と通信処理を行う通信部１５、警告などを行うための所定の音や音声を出力する報知部１６、記憶部１７、及び外部インターフェース（外部Ｉ／Ｆ）１８が装備されている。さらにプラットフォーム部１１には、各部の処理動作を制御する制御部１９が装備されている。
【００３９】
加速度センサ１２は、例えば、ＸＹＺ軸の３方向の加速度を検出する３軸加速度センサで構成されている。３軸加速度センサには、静電容量型の他、ピエゾ抵抗型などの半導体方式の加速度センサを用いることができる。なお、加速度センサ１２には、２軸、１軸の加速度センサを用いてもよいが、少なくとも車両２に生じる前後方向の加速度を検出できるものが用いられる。加速度センサ１２で検出された加速度データが、検出時刻と対応付けて制御部１９のＲＡＭ１９ｂに記憶される。
【００４０】
角速度センサ１３は、少なくとも鉛直軸回り（ヨー方向）の回転に応じた角速度、すなわち、車両２の左右方向への回転（旋回）に応じた角速度データを検出可能なセンサ、例えば、ジャイロセンサ（ヨーレートセンサともいう）で構成されている。
なお、角速度センサ１３には、鉛直軸回りの１軸ジャイロセンサの他、左右方向の水平軸回り（ピッチ方向）の角速度も検出する２軸ジャイロセンサ、さらに前後方向の水平軸回り（ロール方向）の角速度も検出する３軸ジャイロセンサを用いてもよい。これらジャイロセンサには、振動式ジャイロセンサの他、光学式、機械式のジャイロセンサを用いることができる。
【００４１】
また、角速度センサ１３の鉛直軸回りの角速度の検出方向については、例えば、時計回りを正方向に、反時計回りを負方向に設定してもよい。この場合、車両２が右方向に旋回すれば正の角速度データが検出され、左方向に旋回すれば負の角速度データが検出される。角速度センサ１３では、所定の周期（例えば、数十ｍｓ周期）で角速度が検出され、検出された角速度データが、例えば、検出時刻と対応付けて制御部１９のＲＡＭ１９ｂに記憶される。なお、加速度センサ１２と角速度センサ１３には、これらが一つのパッケージ内に実装された慣性センサを用いてもよい。
【００４２】
ＧＰＳ受信部１４は、アンテナ１４ａを介して人工衛星からのＧＰＳ信号を所定周期で受信して、現在地の位置情報（緯度、および経度）を検出する。ＧＰＳ受信部１４で検出された位置情報は、検出時刻と対応付けて制御部１９のＲＡＭ１９ｂに記憶される。なお、車両２の位置を検出する装置は、ＧＰＳ受信部１４に限定されるものではない。例えば、日本の準天頂衛星、ロシアのグロナス（GLONASS）、欧州のガリレオ（Galileo）、中国のコンパス（Compass）等の他の衛星測位システムに対応した測位装置を用いてもよい。
【００４３】
通信部１５は、通信ネットワーク４を介して外部装置にデータの出力処理などを行う通信モジュールを含んで構成されている。
【００４４】
記憶部１７は、例えば、メモリーカードなどの着脱可能な記憶装置、又はハードディスクドライブ（ＨＤＤ）、ソリッドステートドライブ（ＳＳＤ）などの１つ以上の記憶装置で構成されている。記憶部１７には、例えば、加速度センサ１２、角速度センサ１３、ＧＰＳ受信部１４、ドライバモニタリング部２０、又はドライブレコーダ部３０から取得したデータなどが記憶される。
【００４５】
外部Ｉ／Ｆ１８は、ドライブレコーダ部３０などの車載機器との間でデータや信号の授受を行うためのインターフェース回路や接続コネクタなどを含んで構成されている。
【００４６】
制御部１９は、ＣＰＵ(Central Processing Unit)１９ａ、ＲＡＭ(Random Access Memory)１９ｂ、及びＲＯＭ(Read Only Memory)１９ｃを含むマイクロコンピュータで構成されている。制御部１９は、取得した各種データをＲＡＭ１９ｂ又は記憶部１７に記憶する処理を行う。また、制御部１９は、ＲＯＭ１９ｃに記憶されたプログラム、ＲＡＭ１９ｂ又は記憶部１７に記憶された各種データを読み出して、前記プログラムを実行する。
【００４７】
制御部１９のＣＰＵ１９ａが、位置取得部１９ａａ、速度算出部１９ａｂ、加速度測定部１９ａｃ、後退判定部１９ａｄ、及び処理切替部１９ａｅの処理を実行する。また、ＣＰＵ１９ａが、運転者の脇見を判定する脇見判定部の処理も実行する。また、ＲＯＭ１９ｃに、後退判定プログラムが格納されている。
【００４８】
ドライバモニタリング部２０は、ドライバカメラ２１、画像解析部２２、及びインターフェース（Ｉ／Ｆ）２３を含んで構成されている。
ドライバカメラ２１は、例えば、図示しないレンズ部、撮像素子部、光照射部、これら各部を制御するカメラ制御部などを含んで構成されている。
【００４９】
前記撮像素子部は、例えば、ＣＣＤ(Charge Coupled Device)、又はＣＭＯＳ(Complementary Metal Oxide Semiconductor)などの撮像素子、フィルタ、及びマイクロレンズなどを含んで構成されている。前記撮像素子部は、可視領域の光を受けて撮像画像を形成できるものを含む他、近赤外線などの赤外線又は紫外線を受けて撮像画像を形成できるＣＣＤ、ＣＭＯＳ、或いはフォトダイオード等の赤外線センサを含んでもよい。前記光照射部は、ＬＥＤ(Light Emitting Diode)などの発光素子を含み、また、昼夜を問わず運転者の状態を撮像できるように赤外線ＬＥＤなどを用いてもよい。ドライバカメラ２１は、単眼カメラでもよいし、ステレオカメラであってもよい。
【００５０】
前記カメラ制御部は、例えば、プロセッサなどを含んで構成されている。前記カメラ制御部が、前記撮像素子部や前記光照射部を制御して、該光照射部から光（例えば、近赤外線など）を照射し、前記撮像素子部でその反射光を撮像する制御などを行う。ドライバカメラ２１は車両２の運転中に所定のフレームレート（例えば、毎秒３０〜６０フレーム）で画像を撮像し、ドライバカメラ２１で撮像された画像のデータが画像解析部２２へ出力される。
【００５１】
画像解析部２２は、例えば、画像処理プロセッサなどを含んで構成され、ドライバカメラ２１で撮像された画像から運転者の顔の向き、視線の方向、及び目開度のうちの少なくともいずれかの情報（運転者の状態）を検出する処理などを行う。画像解析部２２が、ドライバカメラ２１で撮像された運転者の画像から運転者の顔の向き又は視線の方向の少なくともいずれかを検出する向き検出部としての処理を実行する。
【００５２】
画像解析部２２で検出された運転者の状態を示すデータ、画像データ、及び撮像日時データが、インターフェース（Ｉ／Ｆ）２３を介してプラットフォーム部１１に送出され、プラットフォーム部１１のＲＡＭ１９ｂ又は記憶部１７に記憶される。
【００５３】
画像解析部２２で検出される運転者の顔の向きは、例えば、運転者の顔のＸ軸（左右軸）回りの角度(上下の向き)であるピッチ（Pitch）角、顔のＹ軸(上下軸)回りの角度（左右の向き）であるヨー(Yaw)角、及び顔のＺ軸（前後軸）回りの角度（左右傾き）であるロール(Roll)角で示してよく、少なくとも左右の向きを示すヨー角が含まれる。またこれらの角度は、所定の基準方向に対する角度で示すことができ、例えば、前記基準方向が、運転者の正面方向に設定されてもよい。
【００５４】
また、画像解析部２２で検出される運転者の視線の方向は、例えば、画像から検出された、運転者の顔の向きと、目領域の情報（目頭、眼尻、又は瞳孔の位置など）との関係から推定され、３次元座標上における視線ベクトルＶ（３次元ベクトル）などで示すことができる。視線ベクトルＶは、例えば、運転者の顔のＸ軸（左右軸）回りの角度(上下の向き)であるピッチ角、顔のＹ軸(上下軸)回りの角度（左右の向き）であるヨー角、及び顔のＺ軸（前後軸）回りの角度（左右傾き）であるロール角のうち、少なくとも１つと、前記目領域の情報とから推定されたものでもよい。また、視線ベクトルＶは、その３次元ベクトルの一部の値を顔の向きのベクトルの値と共通（例えば、３次元座標の原点を共通）にして示したり、顔の向きのベクトルを基準とした相対角度（顔の向きのベクトルの相対値）で示したりしてもよい。
【００５５】
また、画像解析部２２で検出される運転者の目開度は、例えば、画像から検出された、運転者の目領域の情報（目頭、眼尻、上下のまぶたの位置、又は瞳孔の位置など）を基に推定される。
【００５６】
プラットフォーム部１１の外部Ｉ／Ｆ１８には、ドライブレコーダ部３０が接続されている。ドライブレコーダ部３０は、車外カメラ３１と車内カメラ３２とを含んで構成されている。
車外カメラ３１は、車両２の前方の画像を撮像するカメラであり、車内カメラ３２は、車両２の室内の画像を撮像するカメラである。車外カメラ３１と車内カメラ３２は、例えば、可視光カメラで構成され得るが、近赤外線カメラなどで構成してもよい。
車外カメラ３１と車内カメラ３２は、それぞれ所定のフレームレート（例えば、毎秒３０〜６０フレーム）で画像を撮像し、車外カメラ３１と車内カメラ３２で撮像された画像と撮像日時などのデータがプラットフォーム部１１へ送出され、プラットフォーム部１１のＲＡＭ１９ｂ又は記憶部１７に記憶される。なお、ドライブレコーダ部３０は車外カメラ３１のみ備えた構成としてもよい。
【００５７】
車載機１０は、プラットフォーム部１１とドライバモニタリング部２０とが１つの筐体内に収納された、コンパクトな構成にすることが可能である。その場合における車載機１０の車内設置箇所は、ドライバカメラ２１で少なくとも運転者の顔を含む視野を撮像できる位置であれば、特に限定されない。例えば車両２のダッシュボード中央付近の他、ハンドルコラム部分、メーターパネル付近、ルームミラー近傍位置、又はＡピラー部分などに設置してもよい。また、ドライバカメラ２１の仕様（例えば、画角や画素数（縦×横）など）及び位置姿勢（例えば、取付角度や所定の原点（ハンドル中央位置など）からの距離など）を含む情報がドライバモニタリング部２０又はプラットフォーム部１１に記憶されてもよい。また、ドライバモニタリング部２０は、プラットフォーム部１１と一体に構成される形態の他、プラットフォーム部１１と別体で構成されてもよい。また、車載機１０の電源は、例えば、車両２のアクセサリー電源から供給される。
【００５８】
図３は、実施の形態に係る車載機１０が使用される運転評価システムの一例を示す概略構成図である。
運転評価システム１は、車両２に乗車している運転者３の安全確認動作を評価するためのシステムであって、少なくとも１台以上の車両２に搭載される車載機１０と、各車載機１０から取得したデータを用いて、各運転者３の運転評価を行う、少なくとも１つ以上のサーバ装置４０とを含んで構成されている。
【００５９】
車載機１０が搭載される車両２は、特に限定されない。本実施の形態では、各種の事業を営む事業者が管理する車両が対象とされ得る。例えば、運送事業者が管理するトラック、バス事業者が管理するバス、タクシー事業者が管理するタクシー、カーシェアリング事業者が管理するカーシェア車両、レンタカー事業者が管理するレンタカー、会社が所有している社有車、カーリース事業者からリースして使用する社有車などが対象とされ得る。
【００６０】
車載機１０とサーバ装置４０とは、通信ネットワーク４を介して通信可能に構成されている。通信ネットワーク４は、基地局を含む携帯電話網（３Ｇ／４Ｇ）や無線ＬＡＮ（Local Area Network）などの無線通信網を含んでもよいし、公衆電話網などの有線通信網、インターネット、又は専用網などの電気通信回線を含んでもよい。
【００６１】
車載機１０は、車両２の運転者３の運転評価に用いるデータを取得し、所定のタイミングでサーバ装置４０に送信する。車載機１０からサーバ装置４０に送信されるデータには、車載機１０で検出された運転者３の状態、車両２の位置、及び車両２の挙動のうちの少なくともいずれかのデータが含まれている。
【００６２】
また、車両２を管理する事業者の端末装置８０（以下、事業者端末という。）が、通信ネットワーク４を介してサーバ装置４０と通信可能に構成されている。事業者端末８０は、通信機能を備えたパーソナルコンピュータでもよいし、携帯電話、スマートフォン、又はタブレット装置などの携帯情報端末などでもよい。また、事業者端末８０が、通信ネットワーク４を介して車載機１０と通信可能に構成されてもよい。
【００６３】
サーバ装置４０は、通信ユニット４１、サーバコンピュータ５０、及び記憶ユニット６０を含んで構成されている。
通信ユニット４１は、通信ネットワーク４を介して、車載機１０や事業者端末８０などとの間で各種のデータや信号の送受信を実現するための通信装置で構成されている。
サーバコンピュータ５０は、１つ以上のＣＰＵを含んで構成される中央処理装置と、制御プログラムが記憶されたメインメモリとを含んで構成されている。前記中央処理装置は、前記メインメモリ中の制御プログラムに従って、各種処理を実行するようになっている。
記憶ユニット６０は、例えば、ハードディスクドライブ、ソリッドステートドライブなど、１つ以上の大容量記憶装置で構成されている。
【００６４】
運転評価システム１では、サーバ装置４０が、各車載機１０から送信されてきた、運転者３の状態、車両２の位置、及び車両２の挙動のうちの少なくともいずれかを含むデータを記憶ユニット６０に蓄積し、蓄積された各車載機１０のデータを用いて、各運転者３の運転評価を行う。該運転評価の項目には、運転操作行為に関する評価、交差点における安全確認動作に関する評価、運転時の集中状態に関する評価などの項目が含まれている。
【００６５】
サーバ装置４０は、各車載機１０から取得したデータを用いて、各車両２の一日の運転が終了した後に、各項目の運転評価処理を実行してもよいし、又は一定期間毎に、該一定期間内における各項目の評価処理を実行してもよく、運転評価処理の実行タイミングは特に限定されない。そして、サーバ装置４０は、前記運転評価処理で得られた各運転者３の運転評価データを記憶ユニット６０に記憶する。
【００６６】
また、サーバ装置４０は、クラウドサービスを提供できるように構成されている。例えば、サーバ装置４０は、Ｗｅｂサーバ、アプリケーションサーバ、及びデータベースサーバを含むサーバシステムで構成されてもよい。Ｗｅｂサーバは、事業者端末８０のブラウザからのアクセス要求などの処理を行う。アプリケーションサーバは、例えば、Ｗｅｂサーバからの要求に応じ、データベースサーバにアクセスして、処理に必要なデータの検索やデータの抽出などの処理を行う。データベースサーバは、例えば、車載機１０から取得した各種データなどを管理し、アプリケーションサーバからの要求に応じて、データの検索、抽出、保存などの処理を行う。
【００６７】
例えば、サーバ装置４０は、事業者端末８０のブラウザなどから要求された各種リクエスト、例えば、Ｗｅｂサイトへのログイン、運転評価報告書の送信リクエストなどを処理し、ブラウザなどを通じて処理結果、例えば、作成した運転評価報告書のデータを事業者端末８０に送信し、事業者端末８０の表示画面に運転評価報告書を表示させる処理を実行する。
【００６８】
事業者は、事業者端末８０の表示画面に表示された各運転者３の運転評価報告書を確認し、各運転者３に対して安全意識の改善を図る指導などを行う。このような指導を行うことにより、運転者３の安全意識を高めて、事故リスクの低減を図ることが可能となる。
【００６９】
［動作例］
図４は、実施の形態に係る車載機１０におけるドライバモニタリング部２０が行う処理動作を示すフローチャートである。本処理動作は、例えば、ドライバカメラ２１で画像が撮像されるタイミング（例えば、毎フレーム、又は所定間隔のフレーム毎）で実行される。
【００７０】
まず、画像解析部２２は、ドライバカメラ２１で撮像された画像を取得する処理を行う（ステップＳ１）。
【００７１】
次に画像解析部２２は、取得した画像から運転者の顔（例えば、顔の領域）を検出する処理を行う（ステップＳ２）。画像から顔を検出する手法は特に限定されないが、高速で高精度に顔を検出する手法を採用することが好ましい。
【００７２】
画像解析部２２は、ステップＳ２で検出した顔の領域から、目、鼻、口、眉などの顔器官の位置や形状を検出する処理を行う（ステップＳ３）。画像中の顔の領域から顔器官を検出する手法は特に限定されないが、高速で高精度に顔器官を検出できる手法を採用することが好ましい。例えば、画像解析部２２が、３次元顔形状モデルを作成し、これを２次元画像上の顔の領域にフィッティングさせ、顔の各器官の位置と形状を検出する手法が採用され得る。この手法によれば、ドライバカメラ２１の設置位置や画像中の顔の向きなどに関わらず、正確に顔の各器官の位置と形状を検出することが可能となる。画像中の人の顔に３次元顔形状モデルをフィッティングさせる技術として、例えば、特開２００７−２４９２８０号公報に記載された技術を適用することができるが、これに限定されるものではない。
【００７３】
次に画像解析部２２は、ステップＳ３で求めた顔の各器官の位置や形状のデータに基づいて、運転者の顔の向きを検出する（ステップＳ４）。例えば、上記３次元顔形状モデルのパラメータに含まれている、上下回転（Ｘ軸回り）のピッチ角、左右回転（Ｙ軸回り）のヨー角、及び全体回転（Ｚ軸回り）のロール角を運転者の顔の向きに関する情報として検出してもよい。
【００７４】
次に画像解析部２２は、ステップＳ４で求めた運転者の顔の向き、及びステップＳ３で求めた運転者の顔器官の位置や形状、特に目の特徴点（目尻、目頭、及び瞳孔）の位置や形状に基づいて、視線の方向を検出する（ステップＳ５）。
視線の方向は、例えば、様々な顔の向きと視線方向の目の画像の特徴量（目尻、目頭、瞳孔の相対位置、又は強膜（いわゆる白目）部分と虹彩（いわゆる黒目）部分の相対位置、濃淡、テクスチャーなど）とを予め学習器を用いて学習し、これら学習した特徴量データとの類似度を評価することで検出してもよい。または、前記３次元顔形状モデルのフィッティング結果などを用いて、顔の大きさや向きと目の位置などから眼球の大きさと中心位置とを推定するとともに、瞳孔の位置を検出し、眼球の中心と瞳孔の中心とを結ぶベクトルを視線方向として検出してもよい。
【００７５】
次に画像解析部２２は、ステップＳ３で求めた運転者の顔器官の位置や形状、特に目の特徴点（目尻、目頭、瞳孔、及びまぶた）の位置や形状に基づいて、目開度を検出する（ステップＳ６）。
【００７６】
次に画像解析部２２は、ステップＳ４で検出した運転者の顔の向きと、ステップＳ５で検出した運転者の視線の方向と、ステップＳ６で検出した運転者の目開度と、運転者の画像と、撮像時刻とを対応付けて、画像情報としてプラットフォーム部１１に送信し（ステップＳ７）、その後、画像解析部２２は、ステップＳ１に戻り、処理を繰り返す。
【００７７】
図５は、実施の形態に係る車載機１０における制御部１９が行う処理動作を示すフローチャートである。本処理動作は、例えば、車載機１０に電源が供給されている間、数十ｍｓ〜数秒の所定周期で実行される。
【００７８】
まず、制御部１９は、フラグＦに初期値として０を設定する（ステップＳ１１）。なお、フラグＦ＝０は車両２の前進状態を示し、フラグＦ＝１は車両２の後退状態を示す。
【００７９】
次に制御部１９は、ＧＰＳ受信部１４で受信したＧＰＳ信号から割り出された位置情報（経度、緯度データ）を取得する（ステップＳ１２）。
【００８０】
次に制御部１９は、取得した位置情報の経時変化（単位時間当たりの変化）に基づいて、車両２の速度を算出する（ステップＳ１３）。算出された車両２の速度と位置情報とはＲＡＭ１９ｂに記憶される。
【００８１】
次に制御部１９は、ステップＳ１３で算出した車両２の速度が０になったか、すなわち、車両２が停車したか否かを判断する（ステップＳ１４）。
【００８２】
ステップＳ１４において、制御部１９は、車両２の速度が０になったと判断すれば、次に制御部１９は、加速度センサ１２からセンサ信号を取得して、車両２に生じる少なくとも前後方向の加速度を測定する（ステップＳ１５）。検出した加速度のデータはＲＡＭ１９ｂに記憶される。
【００８３】
一方、ステップＳ１４において、制御部１９は、車両２の速度が０になっていないと判断すれば、ステップＳ１２に戻り、処理を繰り返す。
【００８４】
制御部１９は、ステップＳ１５で車両２の加速度を測定した後、測定した前後方向の加速度が負の値であるか否かを判定する（ステップＳ１６）。
【００８５】
ステップＳ１６において、制御部１９は、車両２に生じる前後方向の加速度が負の値であると判定すれば、制御部１９は、車両２が後退していると判定する（ステップＳ１７）。
【００８６】
次に制御部１９は、フラグＦが１であるか、すなわち車両２が後退状態であるか否かを判断する（ステップＳ１８）。
【００８７】
ステップＳ１８において、制御部１９は、フラグＦが１ではない、すなわち、車両２の速度が０になる前、車両２は前進状態であったと判断すれば、制御部１９は、フラグＦを１にする（ステップＳ１９）。
【００８８】
次に制御部１９は、ＲＯＭ１９ｃから後退時用プログラムを読み出し、所定の処理を後退時用の処理に切り替える（ステップＳ２０）。
【００８９】
その後、制御部１９は後退時用の処理を実行する（ステップＳ２１）。制御部１９は、その後ステップＳ１２に戻り、処理を繰り返す。
【００９０】
一方、ステップＳ１８において、制御部１９は、フラグＦが１である、すなわち、車両２の速度が０になる前、車両２は後退状態であったと判断すれば、引き続き、後退時用の処理を実行する（ステップＳ２１）。
【００９１】
また一方、ステップＳ１６において、制御部１９は、車両２に生じる前後方向の加速度が負の値ではない、すなわち正の値であると判定すれば、制御部１９は、車両２が前進していると判定する（ステップＳ２２）。
【００９２】
次に制御部１９は、フラグＦが１であるか、すなわち車両２が後退状態であるか否かを判断する（ステップＳ２３）。
【００９３】
制御部１９は、フラグＦが１である、すなわち、車両２の速度が０になる前、車両２は後退状態であったと判断すれば、制御部１９は、フラグＦを０にする（ステップＳ２４）。
【００９４】
次に制御部１９は、ＲＯＭ１９ｃから前進時用プログラムを読み出し、所定の処理を前進時用の処理に切り替える（ステップＳ２５）。
【００９５】
その後、制御部１９は前進時用の処理を実行する（ステップＳ２６）。制御部１９は、その後ステップＳ１２に戻り、処理を繰り返す。
【００９６】
一方、ステップＳ２３において、制御部１９は、フラグＦが１ではない、すなわち、車両２の速度が０になる前、車両２は前進状態であったと判断すれば、前進時用の処理を引き続き実行し（ステップＳ２６）、その後ステップＳ１２の処理に戻り、処理を繰り返す。
【００９７】
図６は、実施の形態に係る車載機１０における制御部１９が行う後退時用処理動作の一例を示すフローチャートである。図６では、後退時用処理動作の一例として、運転者の後退時用脇見判定処理動作について説明する。
【００９８】
制御部１９は、ＲＯＭ１９ｃから後退時用脇見判定プログラムを読み込み、該プログラムに基づく処理を実行する（ステップＳ３１）。
【００９９】
制御部１９は、ドライバモニタリング部２０から画像情報を取得する（ステップＳ３２）。画像情報には、運転者３の顔の向き、視線の方向、目開度などの画像解析データ、運転者３の画像データ、及びその撮像日時などが含まれている。
【０１００】
制御部１９は、取得した画像情報に基づいて、運転者３が後方を目視で確認しているか否かを判定する（ステップＳ３３）。運転者３が後方を目視で確認しているか否かは、例えば、運転者３の顔の向き又は視線の方向と、これらの向きが継続している時間とに基づいて判断することができる。
【０１０１】
制御部１９は、ステップＳ３３において、運転者３が後方を目視で確認していないと判定すれば、制御部１９は、後退時脇見発生と判定する（ステップＳ３４）。後退時脇見発生に代えて、後退時後方未確認と判定してもよい。
【０１０２】
その後、制御部１９は、後退時脇見発生時に車載機１０で検出されたデータをサーバ装置４０へ送信する（ステップＳ３５）。サーバ装置４０では、車載機１０から送信されてきた、これらデータを蓄積し、これらデータを、例えば、運転者３の安全確認動作を評価する処理で使用する。
【０１０３】
図７は、車載機１０からサーバ装置４０に送信されるデータの構造の一例を示す図である。
車載機１０からサーバ装置４０に送信されるデータには、車載機１０の識別情報（シリアルナンバー等）、後退時脇見の識別記号、後退時脇見の検出日時、運転者の顔の向き（ピッチ、ヨー、ロール）、視線の方向（ピッチ、ヨー）、目開度（右目、左目）、車両の加速度（少なくとも前後）、角速度（ヨー）、運転者画像、車外画像、及び車両の位置情報（緯度、経度）、走行速度などが含まれている。なお、サーバ装置４０に送信されるデータの構造は、図７に示した構造に限定されるものではないが、少なくとも車載機１０の識別情報（シリアルナンバー等）、後退時脇見の識別記号、後退時脇見の検出日時、及び運転者画像が含まれていることが好ましい。
【０１０４】
その後、制御部１９は、フラグＦが０になったか否かを判定し（ステップＳ３６）、制御部１９は、フラグＦが０になった、すなわち、車両２が前進状態になったと判断すれば、次に制御部１９は、ＲＯＭ１９ｃから前進時用脇見判定プログラムを読み出し、前進時用脇見判定処理に切り替えて（ステップＳ３７）、その後、後退時用脇見判定処理を終える。
【０１０５】
一方、ステップＳ３６において、制御部１９は、フラグＦが０になっていない、すなわち、車両２が後退状態であると判断すれば、ステップＳ３２に戻り、後退時用脇見判定処理を繰り返す。また、ステップＳ３３において、制御部１９は、運転者が後方を目視で確認していると判断すれば、ステップＳ３６の処理を行う。
【０１０６】
実施の形態に係る車載機１０によれば、位置取得部１９ａａで取得した車両２の位置情報を用いて、車両２の速度が速度算出部１９ａｂで算出され、速度算出部１９ａｂで算出された車両２の速度と、加速度測定部１９ａｃで測定された車両２に生じる前後方向の加速度とに基づいて、車両２の後退が判定される。
例えば、速度算出部１９ａｂにより車両２の停車状態を示す速度＝０が算出された後、加速度測定部１９ａｃにより車両２に生じる後方向の加速度が測定された場合に、車両２が後退していると判定される。
したがって、車載機１０が車両２に後付けされる場合であっても、車両２のシフトポジションの信号など、車両２の各種装置からの信号を取得しなくても、車両２の後退を正確に判定することができる。また、車載機１０を車両２に容易に取り付けることができる。
【０１０７】
また、車載機１０によれば、後退判定部１９ａｄにより車両２の後退が判定された場合に、処理切替部１９ａｅによって所定の処理が後退時用に切り替えられるので、後退時と前進時とで処理を適切に切り替えることができる。
例えば、後退判定部１９ａｄにより車両２の後退が判定された場合に、脇見判定処理が後退時用に切り替えられる。したがって、車両２の後退時に、後方確認のために運転者３が顔の向きを大きく変えた場合に、脇見であると誤判定されることなく、後方確認動作を正確に検出することができる。
【０１０８】
以上、本発明の実施の形態を詳細に説明したが、上記説明はあらゆる点において本発明の例示に過ぎない。本発明の範囲を逸脱することなく、種々の改良や変更を行うことができることは言うまでもない。
【０１０９】
［付記］
本発明の実施の形態は、以下の付記の様にも記載され得るが、これらに限定されない。
（付記１）
車両（２）に後付けで搭載される車載機（１０）であって、
前記車両（２）の位置情報を取得する位置取得部（１９ａａ）と、
該位置取得部（１９ａａ）で取得した前記車両（２）の位置情報を用いて、前記車両（２）の速度を算出する速度算出部（１９ａｂ）と、
前記車両（２）に生じる前後方向の加速度を測定する加速度測定部（１９ａｃ）と、
前記速度算出部（１９ａｂ）で算出された前記車両（２）の速度と、前記加速度測定部（１９ａｃ）で測定された前記車両（２）に生じる前後方向の加速度とに基づいて、前記車両（２）の後退を判定する後退判定部（１９ａｄ）とを備えていることを特徴とする車載機。
【０１１０】
（付記２）
車両（２）の後退を判定する後退判定方法であって、
前記車両（２）の位置情報を取得する位置取得ステップ（Ｓ１２）と、
該位置取得ステップ（Ｓ１２）で取得した前記車両（２）の位置情報を用いて、前記車両（２）の速度を算出する速度算出ステップ（Ｓ１３）と、
前記車両に生じる前後方向の加速度を測定する加速度測定ステップ（Ｓ１５）と、
前記速度算出ステップ（Ｓ１３）で算出された前記車両（２）の速度と、前記加速度測定ステップ（Ｓ１５）で測定された前記車両（２）に生じる前後方向の加速度とに基づいて、前記車両（２）の後退を判定する後退判定ステップ（Ｓ１７）とを含むステップを備えていることを特徴とする後退判定方法。
【０１１１】
（付記３）
車両（２）の後退を判定する処理を少なくとも１つのコンピュータ（１９）に実行させるための後退判定プログラムであって、
前記少なくとも１つのコンピュータ（１９）に、
前記車両（２）の位置情報を取得する位置取得ステップ（Ｓ１２）と、
該位置取得ステップ（Ｓ１２）で取得した前記車両（２）の位置情報を用いて、前記車両（２）の速度を算出する速度算出ステップ（Ｓ１３）と、
前記車両（２）に生じる前後方向の加速度を測定する加速度測定ステップ（Ｓ１５）と、
前記速度算出ステップ（Ｓ１３）で算出された前記車両（２）の速度と、前記加速度測定ステップ（Ｓ３）で測定された前記車両（２）に生じる前後方向の加速度とに基づいて、前記車両（２）の後退を判定する後退判定ステップ（Ｓ１７）とを実行させることを特徴とする後退判定プログラム。
【符号の説明】
【０１１２】
１  運転評価システム
２  車両
３  運転者
４  通信ネットワーク
１０  車載機
１１  プラットフォーム部
１２  加速度センサ
１３  角速度センサ
１４  ＧＰＳ受信部
１４ａ  アンテナ
１５  通信部
１６  報知部
１７  記憶部
１８  外部インターフェース（外部Ｉ／Ｆ）
１９  制御部
１９ａ  ＣＰＵ
１９ａａ  位置取得部
１９ａｂ  速度算出部
１９ａｃ  加速度測定部
１９ａｄ  後退判定部
１９ａｅ  処理切替部
１９ｂ  ＲＡＭ
１９ｃ  ＲＯＭ
２０  ドライバモニタリング部
２１  ドライバカメラ（撮像部）
２２  画像解析部
２３  インターフェース（Ｉ／Ｆ）
３０  ドライブレコーダ部
３１  車外カメラ
３２  車内カメラ
４０  サーバ装置（運転評価装置）
４１  通信ユニット
５０  サーバコンピュータ
６０  記憶ユニット
８０  事業者端末
【図１】
2019158496.tif 000003
【図２】
2019158496.tif 000004
【図３】
2019158496.tif 000005
【図４】
2019158496.tif 000006
【図５】
2019158496.tif 000007
【図６】
2019158496.tif 000008
【図７】
2019158496.tif 000009